【手続補正書】
【提出日】令和3年11月2日(2021.11.2)
【手続補正１】
【補正対象書類名】明細書
【補正対象項目名】００８１
【補正方法】変更
【補正の内容】
【００８１】
実施例は本明細書に添付図面を参照して詳細に説明されているが、概念はそれらの正確な実施例に限定されないことは理解されるべきである。従って、それらの概念の範囲は添付の請求項及びそれらの等価物により規定されるよう意図されている。また、個々にかまたは実施例の一部として記載された特定の特徴は、他の特徴及び実施例がその特定の特徴に言及していなくても、それらの他の個々に記載された特徴又は他の実施例の一部と組み合わせられうるよう考慮されている。従って、組み合わせの記述の欠如はそのような組み合わせに対する権利を有することを妨げるべきでない。
以下、本発明の好ましい実施形態を項分け記載する。
実施形態１  
１つ以上のプロセッサと、
１組の命令を記憶するメモリと 
を備えるネットワーク計算システムであって、前記１つ以上のプロセッサは前記命令群にアクセスして
複数の注文要求であって、各注文要求は複数の要求者装置のうち対応する要求者装置から発し複数の供給者のうちの供給者を指定する、複数の注文要求を受信し、
前記複数の注文要求のそれぞれに対して、一群の利用可能なサービス提供者からサービス提供者を選択し、対応する配達注文を対応する供給者から当該要求者の所へ輸送し、
前記複数の注文要求のそれぞれについて、前記１つ以上のプロセッサは、（１）注文要求に対するそれぞれの供給者の注文準備時間を予測し、（２）適合したサービス提供者のそれぞれの供給者への到着時間が前記注文準備時間から指定された閾値内であるとの判定に少なくとも部分的に基づいて前記注文準備時間の前の時間間隔の間にサービス提供者に要求を生成することで、前記サービス提供者を選択し、
前記要求者に対する注文配達時間を前記予測された注文準備時間と前記供給者の所から要求者の所への見積られた移動時間に少なくとも部分的に基づいて見積る、ネットワーク計算システム。
実施形態２  
前記１つ以上のプロセッサは前記供給者の履歴情報を分析することで前記注文準備時間を予測する、実施形態１記載のネットワーク計算システム。
実施形態３  
前記１つ以上のプロセッサは前記履歴情報の分析から、前記供給者の１つ以上の前の配達注文について前記供給者の所からのサービス提供者の出発時間を特定する、実施形態２記載のネットワーク計算システム。
実施形態４  
前記１つ以上のプロセッサは、前記供給者の所への前記サービス提供者の到着時間と前記サービス提供者の前記出発時間の差が注文要求の配達注文が準備される前に前記サービス提供者が到着したことを示す１つ以上の事例を特定する、実施形態２記載のネットワーク計算システム。
実施形態５  
前記１つ以上のプロセッサは、前記特定された１つ以上の事例についての前記サービス提供者の前記出発時間に基づいて前記履歴データから前記供給者の注文準備時間についてのグラウンド真実データを得る、実施形態４記載のネットワーク計算システム。
実施形態６  
前記１つ以上のプロセッサは前記供給者の注文準備時間を予測するのに使用するモデルを前記グラウンド真実データに基づいて作成し、前記１つ以上のプロセッサは前記グラウンド真実データから作成された前記モデルを使用して前記注文準備時間を予測する、実施形態５記載のネットワーク計算システム。
実施形態７  
前記１つ以上のプロセッサは前記サービス提供者の位置を監視して前記供給者の所からの前記サービス提供者の出発時間を特定し、前記出発時間を前記予測された注文準備時間と比較し、前記作成されたモデルに対するフィードバックを前記出発時間に少なくとも部分的に基づいて算出する、実施形態６記載のネットワーク計算システム。
実施形態８  
前記１つ以上の事例において前記出発時間は前記サービス提供者の装置から通信された位置データにより特定される、実施形態４記載のネットワーク計算システム。
実施形態９  
前記１つ以上のプロセッサは前記見積られた注文配達時間を前記要求者の要求者装置に通信する、実施形態１記載のネットワーク計算システム。
実施形態１０  
前記１つ以上のプロセッサは前記要求者装置に前記要求者の注文要求に対応する配達注文の進行を示すインターフェースを表示させる、実施形態１記載のネットワーク計算システム。
実施形態１１  
前記１つ以上のプロセッサは、前記複数のサービス要求のそれぞれについて設定された時間間隔中に前記注文配達時間を繰り返し見積る、実施形態１記載のネットワーク計算システム。
実施形態１２  
配達サービスを提供するための方法であって、該方法は１つ以上のプロセッサにより実行され、
複数の注文要求であって、各注文要求は複数の要求者装置のうち対応する要求者装置から発し複数の供給者のうちの供給者を指定する、複数の注文要求を受信するステップと、
前記複数の注文要求のそれぞれに対して、一群の利用可能なサービス提供者からサービス提供者を選択し、対応する配達注文を対応する供給者から当該要求者の所へ輸送するステップと、
（１）注文要求に対するそれぞれの供給者の注文準備時間を予測し、（２）適合したサービス提供者のそれぞれの供給者への到着時間が前記注文準備時間から指定された閾値内であるとの判定に少なくとも部分的に基づいて前記注文準備時間の前の時間間隔の間にサービス提供者に要求を生成することで、前記サービス提供者を選択するステップと、
前記要求者に対する注文配達時間を前記予測された注文準備時間と前記供給者の所から要求者の所への見積られた移動時間に少なくとも部分的に基づいて見積るステップと
を含む方法。
実施形態１３  
前記注文準備時間を予測することは前記供給者の履歴情報を分析することを含む、実施形態１２記載の方法。
実施形態１４  
前記注文準備時間を予測することは前記履歴情報の分析から、前記供給者の１つ以上の前の配達注文について前記供給者の所からのサービス提供者の出発時間を特定することを含む、実施形態１３記載の方法。
実施形態１５  
前記供給者の所への前記サービス提供者の到着時間と前記サービス提供者の前記出発時間の差が注文要求の配達注文が準備される前に前記サービス提供者が到着したことを示す１つ以上の事例を特定するステップを更に含む、実施形態１４記載の方法。
実施形態１６  
前記特定された１つ以上の事例についての前記サービス提供者の前記出発時間に基づいて前記履歴データから前記供給者の注文準備時間についてのグラウンド真実データを得るステップを更に含む、実施形態１５記載の方法。
実施形態１７  
前記供給者の注文準備時間を予測するのに使用するモデルを前記グラウンド真実データに基づいて作成するステップを更に含み、前記注文準備時間を予測することは前記グラウンド真実データから作成された前記モデルを使用することを含む、実施形態１６記載の方法。
実施形態１８  
前記サービス提供者の位置を監視して前記供給者の所からの前記サービス提供者の出発時間を特定するステップと、
前記出発時間を前記予測された注文準備時間と比較するステップと、
前記作成されたモデルに対するフィードバックを前記出発時間に少なくとも部分的に基づいて算出するステップと
を更に含む実施形態１７記載の方法。
実施形態１９  
前記１つ以上の事例において前記サービス提供者の装置から通信された位置データを使用して前記出発時間を特定するステップを更に含む実施形態１４記載の方法。
実施形態２０  
複数の命令を記憶する持続性コンピュータ読取可能媒体であって、前記複数の命令は、ネットワーク計算システムの１つ以上のプロセッサにより実行される時、前記ネットワーク計算システムに
複数の注文要求であって、各注文要求は複数の要求者装置のうち対応する要求者装置から発し複数の供給者のうちの供給者を指定する、複数の注文要求を受信するステップと、
前記複数の注文要求のそれぞれに対して、一群の利用可能なサービス提供者からサービス提供者を選択し、対応する配達注文を対応する供給者から当該要求者の所へ輸送するステップと、
（１）注文要求に対するそれぞれの供給者の注文準備時間を予測し、（２）適合したサービス提供者のそれぞれの供給者への到着時間が前記注文準備時間から指定された閾値内であるとの判定に少なくとも部分的に基づいて前記注文準備時間の前の時間間隔の間にサービス提供者に要求を生成することで、前記サービス提供者を選択するステップと、
前記要求者に対する注文配達時間を前記予測された注文準備時間と前記供給者の所から要求者の所への見積られた移動時間に少なくとも部分的に基づいて見積るステップと
を含む動作を実行させる、持続性コンピュータ読取可能媒体。
【手続補正２】
【補正対象書類名】特許請求の範囲
【補正対象項目名】全文
【補正方法】変更
【補正の内容】
【特許請求の範囲】
【請求項１】
１つ以上のプロセッサと、
複数の命令を記憶するメモリ資源と
を備えるネットワーク計算システムであって、前記１つ以上のプロセッサにより前記複数の命令が実行されると
要求者の場所およびサービス範囲パラメータに基づいて特定される複数の供給者から選択するためのユーザインタフェースを当該要求者の要求者装置に提示させ、
注文要求に対応する第１の１組のデータであって、前記複数の供給者のうちの選択された供給者を指定する当該第１の１組のデータをネットワークを通じて前記要求者装置から受信し、
前記注文要求について、（１）前記注文要求に関連付けられる注文準備時間を予測し、（２）前記選択された供給者の所への第１のサービス提供者の見積られた到着時間が前記注文準備時間の閾値時間枠内であるとの判定に少なくとも部分的に基づいて、前記注文準備時間の前の時間間隔中に、サービス提供者の要求に対応する第２の１組のデータをネットワークを通じて送信することで、一群の利用可能なサービス提供者から前記第１のサービス提供者を特定し、
前記予測した注文準備時間と前記選択された供給者の所から前記要求者の所への見積られた移動時間とに少なくとも部分的に基づく見積られた注文配達時間を、前記要求者の要求者装置に提示させる、ネットワーク計算システム。
【請求項２】
前記実行された複数の命令により、さらに、前記供給者の履歴情報を分析することで前記注文準備時間を予測する、請求項１記載のネットワーク計算システム。
【請求項３】
前記実行された複数の命令により、さらに、前記履歴情報の分析から、前記供給者の１つ以上の前の配達注文について前記供給者の所からのサービス提供者の出発時間を特定する、請求項２記載のネットワーク計算システム。
【請求項４】
前記実行された複数の命令により、さらに、前記供給者の所への前記サービス提供者の到着時間と前記サービス提供者の前記出発時間の差が注文要求の配達注文が準備される前に前記サービス提供者が到着したことを示す１つ以上の事例を特定する、請求項２記載のネットワーク計算システム。
【請求項５】
前記実行された複数の命令により、さらに、前記特定された１つ以上の事例についての前記サービス提供者の前記出発時間に基づいて前記履歴データから前記供給者の注文準備時間についてのグラウンド真実データを得る、請求項４記載のネットワーク計算システム。
【請求項６】
前記実行された複数の命令により、さらに、前記供給者の注文準備時間を予測するのに使用するモデルを前記グラウンド真実データに基づいて作成するネットワーク計算システムであって、前記１つ以上のプロセッサは前記グラウンド真実データから作成された前記モデルを使用して前記注文準備時間を予測する、請求項５記載のネットワーク計算システム。
【請求項７】
前記実行された複数の命令により、さらに、前記サービス提供者の位置を監視して前記供給者の所からの前記サービス提供者の出発時間を特定し、前記出発時間を前記予測した注文準備時間と比較し、前記作成したモデルに対するフィードバックを前記出発時間に少なくとも部分的に基づいて算出する、請求項６記載のネットワーク計算システム。
【請求項８】
前記１つ以上の事例において前記出発時間は前記サービス提供者の装置から通信された位置データにより特定される、請求項４記載のネットワーク計算システム。
【請求項９】
前記１つ以上のプロセッサは前記見積られた注文配達時間を前記要求者装置に通信する、請求項１記載のネットワーク計算システム。
【請求項１０】
前記実行された複数の命令により、さらに、前記要求者装置に前記要求者の注文要求に対応する配達注文の進行を示すインターフェースを表示させる、請求項１記載のネットワーク計算システム。
【請求項１１】
前記実行された複数の命令により、さらに、前記複数のサービス要求のそれぞれについて設定された時間間隔中に前記注文配達時間を繰り返し見積る、請求項１記載のネットワーク計算システム。
【請求項１２】
配達サービスを提供するための方法であって、該方法は１つ以上のプロセッサにより実行され、
要求者の場所およびサービス範囲パラメータに基づいて特定される複数の供給者から選択するためのユーザインタフェースを当該要求者の要求者装置に提示させるステップと、
注文要求に対応する第１の１組のデータであって、前記複数の供給者のうちの選択された供給者を指定する当該第１の１組のデータをネットワークを通じて前記要求者装置から受信するステップと、
前記注文要求について、（１）前記注文要求に関連付けられる注文準備時間を予測し、（２）前記選択された供給者の所への第１のサービス提供者の見積られた到着時間が前記注文準備時間の閾値時間枠内であるとの判定に少なくとも部分的に基づいて、前記注文準備時間の前の時間間隔中に、サービス提供者の要求に対応する第２の１組のデータをネットワークを通じて送信することで、一群の利用可能なサービス提供者から前記第１のサービス提供者を特定するステップと、
前記予測した注文準備時間と前記選択された供給者の所から前記要求者の所への見積られた移動時間とに少なくとも部分的に基づく見積られた注文配達時間を、前記要求者の要求者装置に提示させるステップと、
を含む方法。
【請求項１３】
前記注文準備時間を予測することは前記供給者の履歴情報を分析することを含む、請求項１２記載の方法。
【請求項１４】
前記注文準備時間を予測することは前記履歴情報の分析から、前記供給者の１つ以上の前の配達注文について前記供給者の所からのサービス提供者の出発時間を特定することを含む、請求項１３記載の方法。
【請求項１５】
前記供給者の所への前記サービス提供者の到着時間と前記サービス提供者の前記出発時間の差が注文要求の配達注文が準備される前に前記サービス提供者が到着したことを示す１つ以上の事例を特定するステップを更に含む、請求項１４記載の方法。
【請求項１６】
前記特定された１つ以上の事例についての前記サービス提供者の前記出発時間に基づいて前記履歴データから前記供給者の注文準備時間についてのグラウンド真実データを得るステップを更に含む、請求項１５記載の方法。
【請求項１７】
前記供給者の注文準備時間を予測するのに使用するモデルを前記グラウンド真実データに基づいて作成するステップを更に含み、前記注文準備時間を予測することは前記グラウンド真実データから作成された前記モデルを使用することを含む、請求項１６記載の方法。
【請求項１８】
前記サービス提供者の位置を監視して前記供給者の所からの前記サービス提供者の出発時間を特定するステップと、
前記出発時間を前記予測された注文準備時間と比較するステップと、
前記作成されたモデルに対するフィードバックを前記出発時間に少なくとも部分的に基づいて算出するステップと
を更に含む請求項１７記載の方法。
【請求項１９】
前記１つ以上の事例において前記サービス提供者の装置から通信された位置データを使用して前記出発時間を特定するステップを更に含む請求項１４記載の方法。
【請求項２０】
複数の命令を記憶する持続性コンピュータ読取可能媒体であって、前記複数の命令は、ネットワーク計算システムの１つ以上のプロセッサにより実行される時、前記ネットワーク計算システムに
要求者の場所およびサービス範囲パラメータに基づいて特定される複数の供給者から選択するためのユーザインタフェースを当該要求者の要求者装置に提示させるステップと、
注文要求に対応する第１の１組のデータであって、前記複数の供給者のうちの選択された供給者を指定する当該第１の１組のデータをネットワークを通じて前記要求者装置から受信するステップと、
前記注文要求について、（１）前記注文要求に関連付けられる注文準備時間を予測し、（２）前記選択された供給者の所への第１のサービス提供者の見積られた到着時間が前記注文準備時間の閾値時間枠内であるとの判定に少なくとも部分的に基づいて、前記注文準備時間の前の時間間隔中に、サービス提供者の要求に対応する第２の１組のデータをネットワークを通じて送信することで、一群の利用可能なサービス提供者から前記第１のサービス提供者を特定するステップと、
前記予測した注文準備時間と前記選択された供給者の所から前記要求者の所への見積られた移動時間とに少なくとも部分的に基づく見積られた注文配達時間を、前記要求者の要求者装置に提示させるステップと
を含む動作を実行させる、持続性コンピュータ読取可能媒体。